(57)【要約】【課題】コードリールのリールシャフトを固定するための上ケースからのリブを不要とすることができる電気掃除機を提供する。【解決手段】電動送風機８を収納する本体ケース４の下ケース２と上ケース３内に電源コード巻取用のコードリール１０を備えた電気掃除機において、コードリール１０を回転可能に支持するリールシャフト４０の本体ケース４内周側端部を本体ケース４の横方向から固定する固定部材（リブ２６）を備えた。また、この固定部材（リブ２６）は、本体ケース４の側面側に取り付けられる後車輪２０用のホイールキャップ２３に形成されて成る。【選択図】　　　　図１
2004016596.tif 000002
【特許請求の範囲】
【請求項１】
電動送風機を収納する本体ケースの下ケースと上ケース内に電源コード巻取用のコードリールを備えた電気掃除機において、
前記コードリールを回転可能に支持するリールシャフトの本体ケース内周側端部を本体ケースの横方向から固定する固定部材を備えたことを特徴とする電気掃除機。
【請求項２】
前記固定部材は、前記本体ケースの側面側に取り付けられる車輪用のホイールキャップに形成されて成ることを特徴とする請求項１記載の電気掃除機。
【請求項３】
前記固定部材として、前記本体ケースの下ケース側壁に形成された軸受溝に載置されるリールシャフトの上方向への移動を規制する固定用リブを備えたことを特徴とする請求項２記載の電気掃除機。
【請求項４】
前記固定用リブを補強する補強用リブを備えたことを特徴とする請求項３記載の電気掃除機。
【請求項５】
前記固定部材として、前記リールシャフトの軸方向への移動を規制する固定用リブを備えたことを特徴とする請求項３又は請求項４記載の電気掃除機。
【請求項６】
前記固定部材として、前記リールシャフトの前後方向への移動を規制する固定用リブを備えたことを特徴とする請求項３ないし請求項５のいずれかに記載の電気掃除機。
【発明の詳細な説明】
【０００１】
【発明の属する技術分野】
本願発明は、電動送風機を収納する本体ケースの下ケースと上ケース内に電源コード巻取用のコードリールを備えた電気掃除機に関するものである。
【０００２】
【従来の技術】
従来、電動送風機を収納する本体ケースの下ケースと上ケース内の本体ケース側壁側に電源コード巻取用のコードリールを備えた電気掃除機において、コードリールを回転可能に支持するリールシャフトの一端部（電動送風機側）はリールサポータにネジなどにより固定し、他端部（本体ケース側壁側）は下ケース側壁に形成された軸受溝に載置すると共にその上方向への移動（浮き上がり）を上ケースから伸ばされたリブにより固定するようにしたものがある。
【０００３】
【発明が解決しようとする課題】
ところが、上述した上ケースからのリブは、掃除機本体の垂直方向の中心近くにあるリールシャフトまで形成しなければならないため、垂直方向に長いものとなり、掃除機本体の組立性や上ケースの成形性を悪くしたり、当該リブにより上ケース上面の目立ちやすいところに生じる所謂ヒケ（成形後の収縮のよる窪み等の変形）の原因となったり、長いリブの強度面でも全長にわたる補強が必要となって、掃除機本体の大型化や重量化を招いていた。
【０００４】
そこで、本願発明はこのような課題を解決するためになされたものであり、コードリールのリールシャフトを固定するための上ケースからの上述したリブを不要とすることができる電気掃除機を提供することを目的とするものである。
【０００５】
【課題を解決するための手段】
上記のような目的を達成するために、本願発明は、電動送風機を収納する本体ケースの下ケースと上ケース内に電源コード巻取用のコードリールを備えた電気掃除機において、前記コードリールを回転可能に支持するリールシャフトの本体ケース内周側端部を本体ケースの横方向から固定する固定部材を備えたことを特徴とするものである。
【０００６】
さらに、前記固定部材は、前記本体ケースの側面側に取り付けられる車輪用のホイールキャップに形成されて成ることを特徴とするものである。
【０００７】
そして、前記固定部材として、前記本体ケースの下ケース側壁に形成された軸受溝に載置されるリールシャフトの上方向への移動を規制する固定用リブを備えたことを特徴とするものである。
【０００８】
さらに、前記固定用リブを補強する補強用リブを備えたことを特徴とするものである。
【０００９】
また、前記固定部材として、前記リールシャフトの軸方向への移動を規制する固定用リブを備えたことを特徴とするものである。
【００１０】
また、前記固定部材として、前記リールシャフトの前後方向への移動を規制する固定用リブを備えたことを特徴とするものである。
【００１１】
【発明の実施の形態】
以下、本願発明の一実施形態を図１〜図９を参照して詳細に説明する。
【００１２】
本実施形態の電気掃除機における掃除機本体１は、下ケース２と上ケース３から成る本体ケース４の前側に、図示しない可撓性ホースが差し込まれる差込口に連通する吸気口を有して着脱可能に装着されるサイクロン式の集塵容器７が配置され、後側には電動送風機８が収納される電動送風機収納室９と、この電動送風機収納室９と本体ケース４側壁との間にコードリール１０が収納されるコードリール収納室１１が配置されている。そして、上記サイクロン式集塵容器７の排気口（図示せず）と電動送風機収納室９の吸気口９ａとが連通するように構成されている。
【００１３】
掃除機本体１の上面側には、図４，図５に示すように中央部の前後方向に配置されたハンドル１２や、両側に配置された電源スイッチ用ボタン１３とコード巻取用ボタン１４や、後部側に斜め上向きに形成された排気口１５等が設けられている。
【００１４】
本体ケース４の後部両側面には大径の後車輪２０，２０が取り付けられ、下ケース２の底面側前部中央には、キャスター式の前車輪２１が取り付けられている。
【００１５】
上記各後車輪２０は、下ケース２の側面側に形成された車輪保持部２２の外周に回転自在に嵌合されると共に、ホイールキャップ２３の周縁に数カ所（本実施形態で４カ所）形成された嵌合爪２４を車輪保持部２２側に対応して形成された嵌合孔２５に嵌め込んで係止することにより、回転自在に取り付けられる。上記４カ所の嵌合爪２４のうち一番上のみが下ケース２側壁内まで貫通する嵌合孔２５に対応して他より長めに形成されている。
【００１６】
一方、前記電動送風機８は、モータ３０を上側にして下側に遠心ファンとディフューザがファンカバー３１で覆われて配置されている。モータ３０は、ロータやステータから成るモータ駆動部がブラケット３２で覆われ、このブラケット３２には、モータ駆動部を冷却した排気風が排出されるブラケット排気口３３が形成されている。また、ファンカバー３１の中央部には吸込口３１ａが形成されており、外周縁には、モータクッションフロント３４が配置されている。
【００１７】
また、コードリール１０は、その中心軸となるリールシャフト４０に回転可能に支持されるようになっており、コードリール１０の本体ケース４側壁側に形成された凹部４１に収納したコイルバネ（図示せず）により、電源コード４２を巻き取る方向に付勢されている。また、電源コード４２を引き出す方向には回転できるが巻き取る方向への回転は阻止するブレーキ機構（図示せず）が備えられており、このブレーキ機構は掃除機本体１上面に備えられた前述のコード巻取用ボタン１４を押すことにより解除され、引き出された電源コード４２をコイルバネの付勢力で自動的に巻き取ることができるようになっている。
【００１８】
上記リールシャフト４０の一端部（電動送風機８側）はリールサポータ４３にネジ４４などにより固定され、このリールサポータ４３が下ケース２と上ケース３のそれぞれに形成されたリブ２ａ，２ｂと３ａ，３ｂによって挟み込まれるようにして固定されるようになっている。
【００１９】
一方、他端部（本体ケース４側壁側）は方形形状を成し、下ケース２側壁に形成された軸受溝２ｃに載置されると共に、対応する側のホイールキャップ２３の内面壁に一体成形されて、下ケース２側壁に形成した孔２ｄから本体ケース４内に突出するリブ２６により固定されるようになっている。
【００２０】
上記リブ２６は、上述したように下ケース２側壁に形成された軸受溝２ｃに載置されるリールシャフト４０の上方向への移動（浮き上がり）を規制する固定用リブ２６ａと、この固定用リブ２６を補強する補強用リブ２６ｂと、リールシャフト４０の軸方向への移動を規制する固定用リブ２６ｃと、リールシャフト４０の前後方向への移動を規制する固定用リブ２６ｄとが一体成形されて構成されている。
【００２１】
これにより、従来のように上ケース３から垂直方向に長いリブを形成する必要がなくなり、横方向の短いリブ２６で済むので、掃除機本体１の組立性や上ケース３の成形性が良好となる。また、上ケース３に垂直方向のリブを形成することにより上ケース３上面の目立ちやすいところに生じるヒケの発生を防ぐことができる。さらに、長いリブの全長にわたる補強も必要なくなるので、掃除機本体１の小型化や軽量化が図れる。
【００２２】
さらに、本実施形態では後車輪２０用のホイールキャップ２３を有効利用して、このホイールキャップ２３に上記リブ２６を一体成形しているので、部品点数が増加することなく上述した作用効果が得られる。
【００２３】
また、固定用リブ２６ａを補強する補強用リブ２６ｂを備えたことにより、固定用リブ２６ａを薄くできるので、厚くなるほど発生しやすくなるヒケの発生を抑えることができる。
【００２４】
また、リールシャフト４０の軸方向への移動を規制する固定用リブ２６ｃを備えたことにより、下ケース２側壁に形成する軸受溝２ｃが貫通溝で済むので簡単に形成できる。
【００２５】
また、リールシャフト４０の前後方向への移動を規制する固定用リブ２６ｄを備えたことにより、軸受溝２ｃが浅くてもリールシャフト４０の前後方向への移動をより確実に規制することができる。
【００２６】
上記コードリール１０の装着は、図６やその要部拡大図である図７に示す下ケース２のコードリール収納室１１に、リールシャフト４０の一端部（電動送風機８側）にリールサポータ４３がネジ４４などにより固定されたコードリール１０を上から挿入することにより、図８やその要部拡大図である図９に示すように装着される。
【００２７】
すなわち、リールシャフト４０の一端部（電動送風機８側）が取り付けられたリールサポータ４３は、下ケース２に形成されたリブ２ａ，２ｂによって挟み込まれるようにして固定される。一方、他端部（下ケース２側壁側）は下ケース２側壁内面に形成された案内溝２ｅに沿って挿入され、下端の軸受溝２ｃに載置される。
【００２８】
この状態で、下ケース２の車輪保持部２２に後車輪２０を嵌合して、ホイールキャップ２３を長めの嵌合爪２５を上にして装着すると、ホイールキャップ２３の内壁面側に形成された前述のリブ２６により、軸受溝２ｃに載置されたリールシャフト４０がいずれの方向に対してもしっかりと固定される。
【００２９】
これにより、電源コード４２の引き出しや巻き取り、掃除機本体１の移動等による振動によっても、リールシャフト４０は本来の位置に固定した状態に確実に保持される。
【００３０】
なお、上記実施形態では、コードリール１０を本体ケース４側壁側に配置したものに本願発明を適用した場合について説明したが、本体ケース後壁側に配置したようなものでも、リールシャフトの本体ケース後壁側端部を本体ケース後面側から固定する固定部材を備えれば、上記実施形態とほぼ同様な作用効果が得られる。
【００３１】
【発明の効果】
以上のように本願発明によれば、電動送風機を収納する本体ケースの下ケースと上ケース内に電源コード巻取用のコードリールを備えた電気掃除機において、コードリールを回転可能に支持するリールシャフトの本体ケース内周側端部を本体ケースの横方向から固定する固定部材を備えたことにより、従来のように上ケースから垂直方向に長いリブを形成する必要がなくなるため、掃除機本体の組立性や上ケースの成形性が良好となる。また、上ケースに垂直方向のリブを形成することにより上ケース上面の目立ちやすいところ生じるヒケの発生を防ぐことができる。さらに、長いリブの全長にわたる補強も必要なくなるので、掃除機本体の小型化や軽量化が図れる。
【００３２】
さらに、前記固定部材は、本体ケースの側面側に取り付けられる車輪用のホイールキャップに形成されて成るものであるから、部品点数が増加することなく上述した効果が得られる。
【００３３】
そして、前記固定部材として、本体ケースの下ケース側壁に形成された軸受溝に載置されるリールシャフトの上方向への移動を規制する固定用リブを備えたことにより、リールシャフトの上方向への移動（浮き上がり）を短い固定用リブで固定することができる。
【００３４】
さらに、前記固定用リブを補強する補強用リブを備えたことにより、固定用リブを薄くできるので、厚くなるほど発生しやすくなるヒケの発生を抑えることができる。
【００３５】
また、前記固定部材として、リールシャフトの軸方向への移動を規制する固定用リブを備えたことにより、下ケース側壁に形成する軸受溝が貫通溝で済むので簡単に形成できる。
【００３６】
また、前記固定部材として、リールシャフトの前後方向への移動を規制する固定用リブを備えたことにより、軸受溝が浅くてもリールシャフトの前後方向への移動をより確実に規制することができる。
【図面の簡単な説明】
【図１】本願発明の一実施形態に係る電気掃除機における掃除機本体の要部を示す縦断面図。
【図２】上記図１の要部拡大断面図。
【図３】上記図１，図２のホイールキャップの内面壁に一体成形されたリブと断面で示すリールシャフトとの関係を示す図。
【図４】上記掃除機本体の側面図。
【図５】同じく、掃除機本体の平面図。
【図６】コードリールを装着していない下ケースの要部を示す平面図。
【図７】上記図６の要部拡大図。
【図８】コードリールを装着した下ケースの要部を一部断面で示した平面図。
【図９】上記図８の要部拡大図。
【符号の説明】
１　掃除機本体
２　下ケース
２ｃ　軸受溝
３　上ケース
４　本体ケース
７　集塵容器
８　電動送風機
９　電動送風機収納室
１０　コードリール
１１　コードリール収納室
１４　コード巻取用ボタン
２０　後車輪
２２　車輪保持部
２３　ホイールキャップ
２４　嵌合爪
２５　嵌合孔
２６　リブ
２６ａ，２６ｃ，２６ｄ　固定用リブ
２６ｂ　補強用リブ
４０　リールシャフト
４２　電源コード
４３　リールサポータ
【図１】
2004016596.tif 000003
【図２】
2004016596.tif 000004
【図３】
2004016596.tif 000005
【図４】
2004016596.tif 000006
【図５】
2004016596.tif 000007
【図６】
2004016596.tif 000008
【図７】
2004016596.tif 000009
【図８】
2004016596.tif 000010
【図９】
2004016596.tif 000011